(57)【要約】  【課題】  前面パネルがモータやギアを組み合わせて構成された開閉機構により開閉動作する空気調和機の室内ユニットの場合には、前面パネルの開閉動作を行い前面枠が台枠側に押し付けられると、前面枠の係止受け部が台枠へ乗り上がり、台枠の係止掛け部から脱落する。  【解決手段】  前面枠の係止受け部に対向して、台枠の係止掛け部を挟むように受けリブを設け、前面枠の係止受け部の受けリブを台枠の係止掛け部の下面側に入り込ませる形状とすることにより、前面枠の係止受け部の受けリブが台枠の係止掛け部の下面に当り前面枠の係止受け部が台枠の係止掛け部へ乗り上がることを防止する。【選択図】  図１ 
2005077024.tif 000002
【特許請求の範囲】
【請求項１】
台枠と前面枠とで外郭を構成し、前記台枠に設けられた係止掛け部と前記前面枠に設けられた係止受け部とにより相互に着脱自在に係合して固定される空気調和機の室内ユニットであって、前記前面枠は前記係止受け部に対向して、前記台枠の係止掛け部を挟むように受けリブを設け、前記前面枠に設けられた開閉機構の駆動により開閉する前面パネルを前記前面枠に具備するとともに、前記前面パネルが開閉動作を行い、前記前面枠が前記台枠側に押し付けられることを特徴とする空気調和機の室内ユニット。
【請求項２】
前記係止掛け部は、前記受けリブと対向する側の角部が、前記受けリブが回動したときに引っ掛らない形状としたことを特徴とする請求項１に記載の空気調和機の室内ユニット。
【請求項３】
前記前面枠を前記台枠から外すときに、前記受けリブが前記台枠の係止掛け部に引っ掛らない形状としたことを特徴とする請求項１に記載の空気調和機の室内ユニット。
【請求項４】
前記係止掛け部の下方に、前記前面枠を前記台枠から外すときの回動中心となる凸リブを設けたことを特徴とする請求項１に記載の空気調和機の室内ユニット。
【請求項５】
前記受けリブは、前記係止受け部の凹部の略奥側の端面までの長さを有することを特徴とする請求項１に記載の空気調和機の室内ユニット。
【請求項６】
前記受けリブは、前記台枠と当接するように構成されていることを特徴とする請求項１に記載の空気調和機の室内ユニット。
【発明の詳細な説明】
【技術分野】
【０００１】
本発明は空気調和機に関し、さらに詳しくは空気調和機の室内ユニットの外郭を構成する前面枠と台枠の構造に関するものである。
【背景技術】
【０００２】
従来、この種の空気調和機の室内ユニットは前面枠と台枠から外郭を構成している（例えば、特許文献１参照）。
【０００３】
図５は、特許文献１に記載された従来の空気調和機の室内ユニットを示すものである。図６に示すように、外郭を構成する前面枠１と台枠２とにおいて、角穴部１ａを前面枠１の外周部に備えるとともに、角穴部１ａに嵌合する凸部３ａを有する爪部３を台枠２に設けた構成になっている。
【特許文献１】特開２００２−１６８４７５号公報
【発明の開示】
【発明が解決しようとする課題】
【０００４】
しかしながら、前記従来の構成において、前面パネルがモータやギアを組み合わせて構成された開閉機構により前後に開閉動作する空気調和機の室内ユニットの場合には、前面パネルの閉動作を行い前面枠が台枠側に押し付けられた際、前面枠の係止受け部が台枠の係止掛り部に乗り上がり、台枠の係止掛け部から脱落するという課題を有していた。
【０００５】
本発明は、前記従来の課題を解決するもので、前面パネルが開閉動作する空気調和機の室内ユニットにおいて、前面パネルの開閉動作時において前面枠の係止受け部が乗り上がり、脱落するのを防止し、なおかつ、前面枠を台枠から取外す際に台枠の係止掛け部から容易に外れる空気調和機の室内ユニットを提供することを目的とする。
【課題を解決するための手段】
【０００６】
前記従来の課題を解決するために、本発明の請求項１は前面枠の係止受け部に対向して、台枠の係止掛け部を挟むように受けリブを設けたものである。
【０００７】
これによって、前面パネルがモータやギアを組み合わせて構成された開閉機構により開閉動作において、前面枠の係止受け部が台枠の係止掛け部から上へ上がることを防止したものである。
【発明の効果】
【０００８】
本発明によれば、前面枠の係止受け部に対向して、台枠の係止掛け部を挟むように受けリブを設けたことにより、この受けリブによって、前面パネルがモータやギアを組み合わせて構成された開閉機構により、前面枠の係止受け部が台枠の係止掛け部から上へ上がることを防止し、なおかつ、前面枠が回動したとき係止受け部が台枠の係止掛け部から容易に外れ易くすることができる。なお、本発明は外郭構造に結合部を構成する構造体等の用途にも適用できる。
【発明を実施するための最良の形態】
【０００９】
第１の発明は、台枠と前面枠とで外郭を構成し、台枠に設けられた係止掛け部と前面枠に設けられた係止受け部とにより相互に着脱自在に係合して固定され、前面枠は係止受け部に対向して台枠の係止掛け部を挟むように受けリブを設けたことにより、前面枠に設け
られた開閉機構の駆動により開閉する前面パネルを前面枠に具備するとともに、前面パネルが開閉動作を行い、前面枠が台枠側に押し付けられたとき、前面枠の係止受け部が台枠の係止掛け部から外れることを防止することができる。
【００１０】
第２の発明は、特に、第１の発明の台枠の係止掛け部が、前面枠の係止受け部の受けリブと対向する側の角部が、受けリブが回動したときに引っ掛らない形状とすることにより、前面枠が台枠より容易に外すことができる。
【００１１】
第３の発明は、特に、第１の発明の前面枠の係止受け部の受けリブが台枠の係止掛け部に引っ掛らない形状とすることにより、前面枠が台枠に引っ掛らず容易に外すことができる。
【００１２】
第４の発明は、特に、第１の発明の台枠の係止掛け部の下方に、前面枠を台枠から外すときの回動中心となる凸リブを設けたことにより、前面枠が台枠より容易に外すことができる。
【００１３】
第５の発明は、特に、第１の発明の前面枠の係止受け部の受けリブは、前面枠の係止受け部の凹部の略奥側の端面までの長さを有することにより、前面枠が回動したときに受けリブが容易に抜け易くすることができる。
【００１４】
第６の発明は、特に、第１の発明の前面枠に設けられた開閉機構の駆動により開閉する前面パネルを前面枠に具備するとともに、前面パネルが開閉動作を行い、前面枠が台枠側に押し付けられるとき、受けリブは台枠と当接するように構成され前面枠の係止受け部が台枠の係止掛け部から外れることを防止しすることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における前面枠１の係止受け部４の受けリブ４ａと台枠２の係止掛け部５の図を示すものである。
【００１７】
図１において、受けリブ４ａは前面枠１の係止受け部４に対向して設けたものであり、前面枠１と有機的に関連して外郭の一部を構成している。
【００１８】
以上のように構成された前面枠１の係止受け部４の受けリブ４ａについて、以下その動作、作用を説明する。
【００１９】
まず、台枠２と前面枠１とで外郭を構成する空気調和機の室内ユニットにおいて、台枠２に設けられた係止掛け部５と前面枠１に設けられた係止受け部４とにより相互に着脱自在に係合して固定されており、前面枠１の係止受け部４に対向して配置された受けリブ４ａが、台枠２の係止掛け部５を挟むように台枠２の係止掛け部５の下方側に入り込む構成とし、前面枠１に設けられた開閉機構の駆動により開閉する前面パネルを前面枠１に具備するとともに、前面パネルが開閉動作を行い、前面枠１が台枠２側に押し付けられるように構成されている。
【００２０】
以上のように、本実施の形態においては前面枠１の係止受け部４の受けリブ４ａを台枠２の係止掛け部５の下方側に入り込ます構成とすることにより、前面パネルが開閉動作を行い、前面枠１が台枠２側に押し付けられるれても、前面枠１の係止受け部４が台枠２の係止掛け部５へ乗り上がり脱落することを防止することができる。
【００２１】
（実施の形態２）
図２は、本発明の第２の実施の形態における台枠２の係止掛け部５の断面図である。本実施の形態において台枠２の係止掛け部５は、前面枠１の係止受け部４の受けリブ４ａと対向する側の角部がＣ面もしくはＲ形状５ａにすることにより、前面枠１の係止受け部４が回動したときに受けリブ４ａが引っ掛かからず、前面枠１が容易に外すことができる。
【００２２】
（実施の形態３）
図３は、本発明の第３の実施の形態における前面枠１の係止受け部４の断面図である。本実施の形態において前面枠１の係止受け部４に対向して設けた受けリブ４ａの先端形状が、Ｃ面もしくはＲ形状４ａにした形状でも、同じ効果を得ることができる。
【００２３】
（実施の形態４）
図４は、本発明の第４の実施の形態における台枠２の係止掛け部５の下方に、前面枠１を台枠２から外すときの回動中心６となる凸リブ７を設けたことにより、前面枠１の係止受け部４が回動したとき係止受け部４の先端が台枠２の係止掛け部５の下方にある回動中心６となる凸リブ７に当たり、前面枠１の係止受け部４が容易に外すことができる。
【００２４】
（実施の形態５）
図３は、本発明の第５の実施の形態における受けリブ４ａは、係止受け部４の凹部８の略奥側の端面までの長さを有することにより、前面枠１の係止受け部４が台枠２の係止掛け部５から乗り上がり、脱落することを防止することができ、なおかつ前面枠１が回動したとき受けリブ４ａが容易に外することができる。
【００２５】
（実施の形態６）
本実施の形態の前面枠１に設けられた開閉機構の駆動により開閉する前面パネルを前面枠１に具備するとともに、前面パネルが開閉動作を行い、前面枠１が台枠２側に押し付けられたとき、受けリブ４ａは台枠２と当接するように有することにより、特に、受けリブ４ａが台枠２の係止掛け部５の下面側に当り、前面枠１の係止受け部４が乗り上がり脱落することを防止し、なおかつ前面枠１が回動したときに受けリブ４ａが容易に抜け易くすることができる。
【産業上の利用可能性】
【００２６】
以上のように、本発明にかかる空気調和機の室内ユニットは、前面枠の係止受け部に対向して受けリブを設けたことにより、この受けリブによって、前面枠に設けられた開閉機構の駆動により開閉する前面パネルを前面枠に具備するとともに、前面パネルが開閉動作を行い、前面パネルが台枠側に押し付けられるように付勢されるとき、受けリブは台枠と当接するように構成されているので前面枠の係止受け部が上へ乗り上がることを防止し、外郭構造に結合部を構成する構造体等の用途にも適用できる。
【図面の簡単な説明】
【００２７】
【図１】本発明の実施の形態１における前面枠の係止受け部と台枠の係止掛け部の断面図
【図２】（ａ）は本発明の実施の形態２、４における台枠の係止掛け部の断面図（ｂ）は本発明の実施の形態２、４における台枠の係止掛け部の斜視図
【図３】（ａ）は本発明の実施の形態３、５における前面枠の係止受け部の断面図（ｂ）はａにおける前面枠の係止受け部の斜視図
【図４】（ａ）は本発明の実施の形態４における回転中心となる凸リブにより、前面枠の係止受け部が回動した断面図（ｂ）はａにおける前面枠の係止受け部が、台枠の係止掛け部から外れた断面図
【図５】（ａ）は従来の空気調和機の室内ユニットの斜視図（ｂ）はａにおける、前面枠の係止受け部と台枠の係止掛け部のＡ部の拡大斜視図（ｃ）はｂにおける、係止受け部と係止掛け部の係合状態でのＢ-Ｂ断面図
【図６】従来の前面枠の係止受け部が台枠の係止掛け部より、上へ乗り上がった状態の断面図
【符号の説明】
【００２８】
１  前面枠
１ａ  角穴部
２  台枠
３  爪部
３ａ  凸部
４  係止受け部
４ａ  受けリブ
４ｂ  Ｃ面もしくはＲ形状
５  係止掛け部
５ａ  Ｃ面もしくはＲ形状
６  回転中心
７  凸リブ
８  凹部
【図１】
2005077024.tif 000003
【図２】
2005077024.tif 000004
【図３】
2005077024.tif 000005
【図４】
2005077024.tif 000006
【図５】
2005077024.tif 000007
【図６】
2005077024.tif 000008